(57)【要約】【課題】機械的な機構を用いずに光路または光路長の変更が可能な技術を提供する。【解決手段】入射光を反射光または透過光として出射する液体光学装置１００であって、分離した有極性液１３２および無極性液１３３と、有極性液１３２に電圧を加える電極駆動電極層１２３および透明電極１２９と、前記電圧を加える場所および電圧の一方または両方を制御する制御部１０１とを有し、前記制御により、前記２種類の液体の界面１３５の向きが変更され、界面１３５の向きが変更されることで、界面１２５における光の反射方向または光の屈性方向が変更され、界面１３５における光の反射方向または光の屈性方向の変更により、出射する光の方向の制御が行われる。【選択図】図１
2018050747.tif 000002
【特許請求の範囲】
【請求項１】
入射光を反射光または透過光として出射する光学装置であって、
分離した有極性液および無極性液の２種類の液体と、
前記有極性液に電圧を加える電極と、
前記電圧を加える場所および前記電圧の一方または両方を制御する制御部と
を有し、
前記制御により、前記２種類の液体の界面の向きが変更され、
前記２種類の液体の前記界面の向きが変更されることで、前記界面における光の反射方向または光の屈性方向が変更され、
前記界面における前記光の反射方向または前記光の屈性方向の変更により、出射する光の光軸の方向の制御が行われることを特徴とする光学装置。
【請求項２】
入射光を反射光または透過光として出射する光学装置であって、
分離した有極性液および無極性液の２種類の液体と、
前記有極性液に電圧を加える電極と、
前記電圧を加える場所および前記電圧の一方または両方を制御する制御部と
を有し、
前記制御により、前記２種類の液体の界面の位置が変更され、
前記２種類の液体の前記界面の位置が変更されることで、
前記２種類の液体の少なくとも一方を透過する光の光路長が変更されることを特徴とする光学装置。
【請求項３】
前記２種類液体の一方が光透過性で他方が光反射性であることを特徴とする請求項１または２に記載の光学装置。
【請求項４】
前記２種類の液体は共に光透過性を有し、且つ、屈折率が異なることを特徴とする請求項１または２に記載の光学装置。
【請求項５】
前記出射する光の光軸の方向の制御により、複数の光路の中の一つが選択されることを特徴とする請求項１に記載の光学装置。
【請求項６】
前記出射する光の光軸の方向の制御により、走査光の生成を行うことを特徴とする請求項１に記載の光学装置。
【請求項７】
前記走査光の生成は、前記２種類の液体の界面の向きを制御することで行われることを特徴とする請求項６に記載の光学装置。
【請求項８】
請求項１〜７の光学装置のいずれか一つを備えたことを特徴とするＯＣＴの機能を有する眼科装置。
【請求項９】
前記光学装置を参照光の光路長を変更する手段として用いたことを特徴とする請求項８に記載の眼科装置。
【請求項１０】
前記光学装置を眼底に照射される走査光を生成する手段として用いたことを特徴とする請求項８または９に記載の眼科装置。
【発明の詳細な説明】
【技術分野】
【０００１】
本発明は、光路長の調整または光の偏向を行う技術に関する。
【背景技術】
【０００２】
ＯＣＴ（光干渉断層像 (optical coherence tomography)）を利用した眼科装置が知られている（例えば、特許文献１を参照）。ＯＣＴでは、光路長を可変でできる参照光の光路を必要とする（例えば、特許文献１の符号１１４を参照）。
【先行技術文献】
【特許文献】
【０００３】
【特許文献１】特開２０１６−５４８５４号公報
【発明の概要】
【発明が解決しようとする課題】
【０００４】
特許文献１に記載されているように、従来における光路長の可変機構は、光軸上で移動可能な反射ミラーを用いる方法が採用されている。この方法は、精密な可動機構が必要であり、振動に弱い、可動部の経時変化がある、高価である、といった点で改善が求められている。この点は、走査光を得るスキャナについても同様に指摘できる。
【０００５】
このような背景において、本発明は、機械的な機構を用いずに光路または光路長の変更が可能な技術の提供を目的とする。
【課題を解決するための手段】
【０００６】
請求項１に記載の発明は、入射光を反射光または透過光として出射する光学装置であって、分離した有極性液および無極性液の２種類の液体と、前記有極性液に電圧を加える電極と、前記電圧を加える場所および前記電圧の一方または両方を制御する制御部とを有し、前記制御により、前記２種類の液体の界面の向きが変更され、前記２種類の液体の前記界面の向きが変更されることで、前記界面における光の反射方向または光の屈性方向が変更され、前記界面における前記光の反射方向または前記光の屈性方向の変更により、出射する光の光軸の方向の制御が行われることを特徴とする光学装置である。
【０００７】
請求項２に記載の発明は、入射光を反射光または透過光として出射する光学装置であって、分離した有極性液および無極性液の２種類の液体と、前記有極性液に電圧を加える電極と、前記電圧を加える場所および前記電圧の一方または両方を制御する制御部とを有し、前記制御により、前記２種類の液体の界面の位置が変更され、前記２種類の液体の前記界面の位置が変更されることで、前記２種類の液体の少なくとも一方を透過する光の光路長が変更されることを特徴とする光学装置である。
【０００８】
請求項３に記載の発明は、請求項１または２に記載の発明において、前記２種類液体の一方が光透過性で他方が光反射性であることを特徴とする。
【０００９】
請求項４に記載の発明は、請求項１または２に記載の発明において、前記２種類の液体は共に光透過性を有し、且つ、屈折率が異なることを特徴とする。
【００１０】
請求項５に記載の発明は、請求項１に記載の発明において、前記出射する光の光軸の方向の制御により、複数の光路の中の一つが選択されることを特徴とする。
【００１１】
請求項６に記載の発明は、請求項１に記載の発明において、前記出射する光の光軸の方向の制御により、走査光の生成を行うことを特徴とする。
【００１２】
請求項７に記載の発明は、請求項６に記載の発明において、前記走査光の生成は、前記２種類の液体の界面の向きを制御することで行われることを特徴とする。
【００１３】
請求項８に記載の発明は、請求項１〜７の光学装置のいずれか一つを備えたことを特徴とするＯＣＴの機能を有する眼科装置である。
【００１４】
請求項９に記載の発明は、請求項８に記載の発明において、前記光学装置を参照光の光路長を変更する手段として用いたことを特徴とする。
【００１５】
請求項１０に記載の発明は、請求項８または９に記載の発明において、前記光学装置を眼底に照射される走査光を生成する手段として用いたことを特徴とする。
【発明の効果】
【００１６】
本発明によれば、本発明は、機械的な機構を用いずに光路または光路長の変更が可能な技術の提供を目的とする。
【図面の簡単な説明】
【００１７】
【図１】液体光学装置の概念図である。
【図２】駆動電極層の概念図である。
【図３】液体光学装置の動作の形態を示す（Ａ）および（Ｂ）である。
【図４】反射型の光路長変更装置の概念図（Ａ）および（Ｂ）である。
【図５】反射型の光路長変更装置の概念図（Ａ）および（Ｂ）である。
【図６】反射型の光路長変更装置の概念図である。
【図７】透過型の光路長変更装置の概念図である。
【図８】透過型の光路長変更装置の概念図（Ａ）および（Ｂ）である。
【図９】透過型のスキャン装置の概念図（Ａ）および（Ｂ）である。
【図１０】透過型スキャン装置の概念図（Ａ）〜（Ｃ）である。
【図１１】反射型のスキャン装置の概念図（Ａ）および（Ｂ）である。
【図１２】反射型スキャン装置の概念図（Ａ）〜（Ｃ）である。
【図１３】ＯＣＴを利用した眼科装置の一例を示す図である。
【発明を実施するための形態】
【００１８】
（液体光学装置）
図１には、発明を利用した液体光学装置１００が示されている。液体光学装置１００は、入射光を反射光または透過光として出射する。液体光学装置１００は、分離した有極性液１３２および無極性液１３３と、有極性液に電圧を加える駆動電極層１２３および透明電極１２９と、駆動電極層１２３への制御信号を出力し、電圧を加える場所および電圧の一方または両方を制御する制御部１０１とを有し、前記制御により、前記２種類の液体の界面１３５の向きが変更され、界面１３５の向きが変更されることで、界面１２５における光の反射方向または光の屈性方向が変更され、界面１３５における光の反射方向または光の屈性方向の変更により、出射する光の方向の制御が行われる。
【００１９】
以下、液体光学装置１００について詳細に説明する。ここでは、反射タイプの液体光学装置１００について説明する。液体光学装置１００は、光を反射し、且つ、その反射光の反射方向を変更できる。光軸の方向から見た液体光学装置１００の形状は、矩形または円形の外観を有している（形状は任意に選択できる）。液体光学装置１００は、隙間を有した状態で対向して配置された一対のガラス基板１２１と１２２を用いて構成されている。一対の基板の内、少なくとも一方は光透過性である必要がある。光透過性を有する材料としては、ガラス以外に透明なプラスチック材料を用いることもできる。
【００２０】
下側のガラス基板１２１上には、０Ｖ（基準電位）に保たれる一面ベタな共通な電極となる透明電極（ＩＴＯ膜）１２９が配置されている。透明電極１２９の上には、高誘電フィルム１２４が配置されている。高誘電フィルム１２４としては、例えばPVdF（ポリフッ化ビニリデン）やPTFE（ポリテトラフルオロエチレン）が用いられる。高誘電フィルム１２４に接して撥水膜１２５が配置されている。撥水膜１２５は、撥水性を有する膜で、例えばテフロンAF（登録商標）やサイトップが用いられる。
【００２１】
撥水膜１２５に接してリング部材１２６が配置されている。リング部材１２６は、リング状の部材で、撥水膜１２５と高誘電膜１２７に接し、その内側に内部空間１２８が形成されている。上側の高誘電膜１２７に接して、透明電極１２９の対向電極となる駆動電極層１２３が配置されている。この例では、駆動電極層１２３として、液晶表示装置等で公知のアクティブマトリクス電極（図２参照）を採用している。図２は、見やすいように、上下を反転させた状態で、駆動電極層１２３を含む層構造が示されている。駆動電極層１２９は、透明電極１２９の基準電位（０Ｖ）対して正（＋）又は負（−）の電位とされ、透明電極１２９と駆動電極層１２３の間に電圧が加えられ、両者の間に電界が形成される。勿論、駆動電極層１２３の電位を透明電極１２９と同電位とすることも可能である。
【００２２】
なお、透明電極１２９と駆動電極層１２３の位置を交換した形態、両者の電位関係を反転させた形態、透明電極１２９に対して駆動電極層１２３の一または複数の画素電極の電位をマイナス電位とプラス電位の間で調整する形態等も可能である。これらは、後述する有極性液と無極性液の選択、実際の製品の形態等に鑑み、適宜選択することできる。
【００２３】
駆動電極層１２３は、縦横に配置された画素電極により構成されるマトリクス電極と、各画素電極の電位を決める画素毎に配置されたＴＦＴ（薄膜トランジスタ）と、ＴＦＴを駆動する周辺駆動回路を備えている。画素電極は、ＩＴＯ膜等の透明導電膜により構成され、各画素電極の電位は、制御部１０１から出力される制御信号により、個別に制御が可能とされている。制御部１０１により、界面１３５の位置および向きの一方または両方が制御され、光路長の変更、光の出射する方向の制御、スキャン動作等の制御が行われる。
【００２４】
駆動電極層１２３の構造は、周知の液晶ディスプレイ用のアクティブマトリクス回路と同じである。駆動電極層１２３としては、複数の電極を放射状に配置した構造、同心円状のリング電極を配置した構造、複数の電極をストライプ状に配置した構造等が挙げられる。例えば、後述する図３（Ａ）⇔図３（Ｂ）の切り替えであれば、縦横に画素電極を配置する必要はなく、また電極の密度もそれほど精細である必要はない。最適な画素電極の寸法は、液体の粘度や基板間隔等によって変わるので、実験的に決めることが好ましい。上記の各種形態の電極構造の場合も各電極にＴＦＴ等のスイッチング素子を配置し、各電極の電位を個別に制御できる構造とする。
【００２５】
駆動電極層１２３は、上側のガラス基板１２２に接して設けられている。リング部材１２６の周囲は、封止材１３０により封止され、内部空間１２８を密閉空間としている。高誘電膜１２７の内部空間１２８の側には、親水膜１３１が配置されている。親水膜１３１は、親水機能を有する膜で、例えばトリシラノールやシリカなどの無機分散体により構成されている。
【００２６】
リング部材１２６の部分、すなわち側面を光透過性としてもよい。この場合、側面からの光の入射または出射が可能となる。また、リング部材１２６の部分（つまり側面）に電極を設ける構成も可能である。本実施形態では、後述する有極性液と無極性液の界面の向きの制御が重要であり、この界面の向きの制御のために、側面からの電界の印可が効果的な場合がある。この場合は、側面の少なくとも一部に電極を設けてもよい。また、側面の電極を透明電極とすることで、側面からの電界の印可が可能で、且つ、側面からの光の入射および出射が可能な構造も可能である。
【００２７】
内部空間１２８は、透明な水系の有極性液１３２と、光反射性の金属粉（例えば、アルミニウム粉）を分散させた光反射性を有する無極性液１３３で満たされている。有極性液１３２の具体的な例としては、水やメタノール等が挙げられる。無極性液１３３としては、炭化水素系合成油、シリコーンオイル等のオイルが挙げられる。有極性液１３２と無極性液１３３は、水と油のように互い混じり合わずに分離する性質のものが選択される。光反射性の無極性液を作る具体例としては、シリコーンオイルに粒径が１〜４００ｎｍのアルミニウム粉を１〜５０重量部分散させたものが挙げられる。
【００２８】
各部の寸法としては、一例であるが、液体光学装置１００の有効面（レンズとして有効に機能する領域）の寸法が直径２５ｍｍ〜４０ｍｍ程度の円形、ガラス基板１２１，１２２の厚みが０．１〜０．５ｍｍ、高誘電フィルム１２４の厚みは０．３〜５μｍ、撥水膜１２５の厚みは数〜５００ｎｍ、内部空間の高さ（撥水膜１２５と親水膜１３１との間の距離）が０．１〜５ｍｍ、高誘電膜１２７の厚みが０．３〜５μｍ、親水膜１３１の厚みが数〜５００μｍ、透明電極１２９の厚みが１０〜２００ｎｍの場合が挙げられる。駆動電極層１２３各部の寸法は、公知の液晶ディスプレイ用のアクティブマトリクス基板で採用される値とする例が挙げられる。
【００２９】
図３（Ａ）および（Ｂ）には、液体光学装置１００の動作形態の一例が示されている。図３には、図示省略されているが、図３の場合も図１と同様に、駆動電極層１２３の駆動制御を行う制御部を備え、この制御部により、以下に示す各種動作の制御が行われる。これは、図４、図５、図６、図８、図９、図１０、図１１の場合も同じである。図３（Ａ）の状態では、内部空間１２８の左上側に相対的に高い電圧を加え、右上側に進むに従い相対的に低い電圧を加えている。この場合、有極性液１３２が電界密度の高い内部空間１２８の左側に寄り、また有極性液（水）１３２が撥水膜１２５から極力離れようとし、且つ、親水膜１３１に極力接触しようとすることから、図示する形状に有極性液１３２と無極性液１３３との間の界面１３５が形成される。
【００３０】
図３（Ｂ）の状態では、内部空間１２８の右上側に相対的に高い電圧を加え、左上側に進むに従い相対的に低い電圧を加えている。この場合、有極性液１３２が電界密度の高い内部空間１２８の右側に寄り、また有極性液（水）１３２が撥水膜１２５から極力離れようとし、且つ、親水膜１３１に極力接触しようとすることから、図示する形状に有極性液１３２と無極性液１３３との間の界面１３５が形成される。
【００３１】
図３において、光線が図の液体光学装置１００の上方から入射した場合を考える。この場合、有極性液１３２が透明で無極性液１３３が光反射性なので、図３（Ａ）の場合、上方から入射した入射光は、界面１３５で左斜め上の方向に反射される。また、図３（Ｂ）の場合、上方から入射した入射光は、界面１３５で右斜め上の方向に反射される。
【００３２】
界面１３５の傾きは、加える電圧の分布を調整することで制御できる。こうして、ガラス基板１２１と１２２の間（内部空間１２８）への電圧印加の面内分布を調整することで、反射面となる界面１３５の向きを変更し、界面１３５からの反射光の方向を制御できる。
【００３３】
（反射型の光路長変更装置）
図４には、反射型の光路長変更装置２００が示されている。光路長変更装置２００は、液体光学装置１００と同様な構造を有する液体光学装置２１０と２２０を備えている。液体光学装置２１０と２２０は、光の入射方向が逆方向となる向きで配置されている。液体光学装置２１０，２２０の左側には、反射ミラー２３１，２３２が配置され、液体光学装置２１０，２２０の右側には、反射ミラー２３３，２３４が配置されている。
【００３４】
図４において、無極性液１３３が光反射性であり、界面１３５が光反射面である。図４（Ａ）の場合、液体光学装置２１０への入射光２４１は、界面１３５でミラー２３１の方向に反射され、更にミラー２３２で反射されて液体光学装置２２０に入射する。この入射光は、界面１３５で反射され、出射光２４２となる。
【００３５】
図４（Ｂ）の場合、液体光学装置２１０への入射光２４１は、界面１３５でミラー２３３の方向に反射され、更にミラー２３４で反射されて液体光学装置２２０に入射する。この入射光は、界面１３５で反射され、出射光２４２となる。
【００３６】
図４（Ａ）と（Ｂ）の切り替えは、図３に関連して説明した液体光学装置２０１，２２０における基板間（内部空間１２８）への電圧印加の面内分布を調整することで行われる。すなわち、内部空間１２８への電圧の加え方を制御することで、界面１３５の向きを図４（Ａ）および図４（Ｂ）の一方とし、２つある光路の一方を選択する。この制御は、図４では図示省略されている制御装置（図１の制御部１０１）によって行われる。
【００３７】
図４（Ａ）と（Ｂ）では、ミラー２３１，２３２と、ミラー２３３，２３４の配置位置の違いにより、光路長が異なるように設定されている。このため、図４（Ａ）を選択した場合は、相対的に長光路長の光路が選択される。そして、図４（Ｂ）を選択した場合は、相対的に短光路長の光路が選択される。こうして、液体光学装置２１０，２２０における界面１３５の向きを電気的に制御することで、設定された２つの光路のいずれかを選択できる。この切り替えには、機械的な可動部分はなく、分離した有極性液１３２と無極性液１３３を電気的に移動させることで行われる。
【００３８】
（反射型の光路長変更装置の他の例）
（その１）
図５には、液体光学装置１００が示されている。液体光学装置１００の構造は、図１に関連して説明したものと同じである。図５（Ａ）の場合、光反射性を有する無極性液１３３が上に凸型の水滴状になるように、基板間（内部空間１２８）に加える電圧の面内分布を調整する。具体的には、中央で相対的に低電圧、周辺で相対的に高電圧となるように面内電圧分布を調整する。この結果、有極性液１３２が周辺に集まり、有極性液１３２に押し込まれる形で無極性液１３３が中央に集まる。こうして、図５（Ａ）の状態が得られる。この場合、反射面となる界面１３５は高い位置にあり、上方から入射した光は、図５（Ａ）に示すように反射する。
【００３９】
上記の場合と逆に、中央で相対的に高電圧、周辺で相対的に低電圧となるように面内電圧分布を調整すると、有極性液１３２が中央に集まり、有極性液１３２に押し出される形で無極性液１３３が周辺に集まり、中央で薄くなる。こうして、図５（Ｂ）の状態が得られる。この場合、反射面となる界面１３５は低い位置にある。
【００４０】
図５（Ａ）と（Ｂ）の状態の一方を選択することで、中央部分の界面１３５の高さ位置の違いの分、光路長に差が生じる。
【００４１】
（その２）
図６には、光反射性に無極性液の界面の高さを変更することで、光路長の変更を行う例が示されている。この場合、通路で接続された２つの容器の上面と底面には、電極が設けられ、２つの容器における印加電圧を調整することで、第１の容器と第２の容器との間で有極性液と無極性液の配分が変化し、反射面となる界面の位置が変わる。この反射面の位置の変化により、光路長の調整が行われる。光路長の必要精度が出ない場合は、側面にも電極が設けられることもある。また、アクティブマトリクス電極を採用する場合もある。
【００４２】
反射型ではないが、図６の構造を採用した透過型の光路長変更装置の例を図７に示す。この場合、有極性液と無極性液は、共に透明で、屈折率に極力差があるものを用いる。この構造では、有極性液と無極性液との界面位置を変化させることで、光路を構成する媒体の屈折力を変化させ、光路の光学的距離を変化させる。光路の光学的な距離を変えることで、光学的な光路長を可変できる。この場合も光路長の必要精度が出ない場合は、側面にも電極が設けられることもある。また、アクティブマトリクス電極を採用する場合もある。
【００４３】
（透過型の光路長変更装置）
図８には、透過型の光路長変更装置３００が示されている。光路長変更装置３００は、液体光学装置１００と同様な構造を有する液体光学装置３１０と３２０を備えている。液体光学装置３１０と３２０は、上下（表裏）をひっくり返した状態で配置されている。ここで、有極性液１３２および無極性液１３３が共に光透過性を有する。また、有極性液１３２と無極性液１３３の屈折率は異なっている。
【００４４】
この例では、図示省略した制御装置により、各液体光学装置に供給する制御電圧を調整し、有極性液１３２と無極性液１３３の界面１３５の傾きを変化させる。界面１３５の傾きを調整することで、界面１３３を通過する際の屈折の状態を変化させ、透過光の光軸の方向を変更する。この光軸の方向を変えることで、光路の選択（切り替え）を行う。
【００４５】
界面１３３の傾きの制御は、図３に関連して説明した原理で行われる。図８（Ａ）では、基板間（内部空間１２８）に加える電圧は、ゼロであり、界面１３３は水平（ガラス基板１２１，１２２と平行）である。この場合、入射光は、液体光学装置３１０，３２０をそのまま真っすぐに透過する。
【００４６】
図８（Ｂ）では、２つの液体光学装置で電圧をＯＮとし、液体光学装置３１０および３２０を図３（Ａ）の状態とする。この場合、界面１３５が傾き、また有極性液１３２と無極性液１３３の屈折率が異なっているので、界面１３５で屈折が生じ、液体光学装置３２０への入射光３３０は、当初の光軸と異なる方向に出射する。この屈折した光軸の線上に反射ミラー３３１が配置され、反射ミラー３３２→３３３→３３４とリレーして、液体光学装置３１０に光線は入射する。液体光学装置３１０では、液体光学装置３２０と逆の光学作用で屈折が生じ、出射光３３１が生じる。
【００４７】
図８（Ｂ）の光路では、反射ミラー３３１→３３２→３３３→３３４と光路が迂回しているので、図８（Ａ）の場合よりも光路長が長くなる。こうして、液体光学装置３１０，３２０における電圧ＯＮ／ＯＦＦを選択することで、異なる２つの光路長を選択できる。
【００４８】
（透過型の偏向装置（スキャナ））
図９には、透過型の偏向装置（スキャナ）４００の原理が示されている。偏向装置４００は、透過する光の光軸の向きを変え、走査光を生成する。偏向装置４００は、液体光学装置１００と同様な構造を有している。ここで、有極性液１３２および無極性液１３３が共に光透過性を有する。また、有極性液１３２と無極性液１３３の屈折率は異なっている。
【００４９】
電圧ＯＦＦにおいて、偏向装置４００に入射した入射光は、直進して出射する（図９（Ａ））。他方で、図３（Ｂ）の状態となるように、有極性液１３２と無極性液１３３に電圧を加えると、界面１３５が入射光の光軸に対して傾斜し、界面１３５を通過する際に入射光の屈折が生じる。この場合、図９（Ｂ）に示すように、偏向装置４００から出射する光の光軸の方向が図９（Ａ）の場合と違う方向になる。ここで、界面１３５の傾きを連続的（あるいは段階的）に変化させ、更にこの変化を繰り返すことで、偏向装置４００から出射する光を走査光（スキャン光）とできる。
【００５０】
図１０には、Ｙ軸方向のスキャンを行う場合の状態が段階的に示されている。図１０には、概念的に３段階のスキャンを行った場合が示されている。図１０に示すように、Ｙ軸方向における界面１３５の傾きを徐々に変化させることで、偏向装置４００を透過する光のＹ軸方向における向きは徐々に変化する。なお、図１０には、界面１３５の傾きおよび偏向の様子が誇張して示されている。
【００５１】
図１０には、Ｙ軸方向のスキャンの例が示されているが、同様の原理により、Ｘ軸方向における界面１３５の傾きを変化させることで、偏向装置４００を透過する光がＸ軸方向に走査される走査光となる。そして、Ｘ軸方向における界面１３５の傾きとＹ軸方向における界面１３５の傾きを組み合わせることで、Ｘ−Ｙ平面における２次元走査光が得られる。すなわち、偏向装置４００を透過型の２次元スキャナとして利用できる。
【００５２】
例えば、図１０（Ａ）の状態でＸ軸方向におけるスキャンを行い、次いで図１０（Ｂ）の状態に移行し、Ｘ軸方向におけるスキャンを行い、次いで図１０（Ｃ）の状態に移行し、Ｘ軸方向におけるスキャンを行うことで、２次元のスキャンが行える。なお、偏向装置４００を２つ用いて、Ｘ軸方向のスキャンとＹ軸方向のスキャンを個別に行い、それを合成することで、２次元スキャナを得ることもできる。
【００５３】
（反射型の偏向装置（スキャナ））
図１１には、偏向装置５００が示されている。偏向装置５００は、液体光学装置１００において、有極性液１３２を光透過性とし、無極性液１３３を光反射性としたものである。偏向装置５００の詳細は、図１の液体光学装置１００と同じである。この場合、偏向装置５００の有極性液１３２の側から光が入射する。また、入射光は、偏向装置５００に対して垂直でなく、斜めの方向から入射させる。
【００５４】
有極性液１３２と無極性液１３３に印加する電圧がＯＦＦの状態では、界面１３５は、偏向装置５００の面に平行であり、入射角＝反射角の関係で入射光は界面１３５において反射する（図１１（Ａ））。図３（Ｂ）の状態となるように有極性液１３２と無極性液１３３に印加する電圧を調整すると、界面１３５が傾き、図１１（Ａ）の場合とは異なる方向に反射光が出射する（図１１（Ｂ））。ここで、界面１３５の傾きを連続的（または段階的）に変化させ、それを周期的に繰り返すことで、走査光（スキャン光）を得ることができる。
【００５５】
図１２には、Ｙ軸方向のスキャンを行う場合の状態が段階的に示されている。図１２には、概念的に３段階のスキャンを行った場合が示されている。図１２に示すように、Ｙ軸方向における界面１３５の傾きを徐々に変化させることで、偏向装置５００で反射する光のＹ軸方向における向きは徐々に変化する。なお、図１２には、界面１３５の傾きおよび偏向の様子が誇張して示されている。
【００５６】
図１２には、Ｙ軸方向のスキャンの例が示されているが、同様の原理により、Ｘ軸方向における界面１３５の傾きを変化させることで、偏向装置５００で反射する光がＸ軸方向に操作される走査光となる。そして、Ｘ軸方向における界面１３５の傾きとＹ軸方向における界面１３５の傾きを組み合わせることで、Ｘ−Ｙ平面における２次元走査光が得られる。すなわち、偏向装置４００を反射型の２次元スキャナとして利用できる。
【００５７】
例えば、図１２（Ａ）の状態でＸ軸方向におけるスキャンを行い、次いで図１２（Ｂ）の状態に移行し、Ｘ軸方向におけるスキャンを行い、次いで図１２（Ｃ）の状態に移行し、Ｘ軸方向におけるスキャンを行うことで、２次元のスキャンが行える。なお、偏向装置５００を２つ用いて、Ｘ軸方向のスキャンとＹ軸方向のスキャンを個別に行い、それを合成することで、２次元スキャナを得ることもできる。
【００５８】
（ＯＣＴ装置）
本発明を利用したＯＣＴ装置の例を説明する。図１３には、ＯＣＴ装置６００が示されている。ＯＣＴ装置６００は、マイケルソン干渉計を基本としている。ＯＣＴ装置６００は、光源６０１を備えている。光源６０１は、時間的に低コヒーレンスである光を出力するレーザー光源が選択される。光源６０１から出射した光は、光ファイバによりファイバーカプラー６０２に送られる。ファイバーカプラー６０２は、光ファイバで伝送される光の分岐および合成を行う光学素子である。ファイバーカプラー６０２は、光源６０１からの光を参照光と測定光とに分岐する。参照光と測定光の光量比は、例えば、８０：２０とされている。
【００５９】
参照光は、ファイバーカプラー６０２から、リファレンスユニット６３０に送られる。リファレンスユニット６３０は、参照光の光路長が測定光の光路長と同じになるように調整を行う。リファレンスユニット６３０に導かれた参照光は、コリメータ６０４を介して光路長調整部６０６に入射する。光路長調整部６０６は、図４〜図８に示す光路長変更装置の一または複数により構成されている。光路長調整部６０６を通過した参照光は、ミラー６０７で反射され、再び光路長調整部６０６を通り、ファイバーカプラー６０２を介してファイバーカプラー６０２に戻る。
【００６０】
光路長調整部６０６は、後述する視度補正系６１０で生じる測定光および検出光の光路長の変化に対応させて、参照光の光路長を調整し、測定に係るＯＣＴ光の光路長と参照光の光路長が同じになるように調整する。
【００６１】
光源６０１から出射し、ファイバーカプラー６０２で分岐された光の他方は、測定光としてコリメータ６０８を介して、２次元スキャナ６０９に導かれる。２次元スキャナ６０９は、図９，１０または図１１，１２の構造を有し、コリメータ６０８から出射した測定光を２次元走査光として出射させる。
【００６２】
２次元スキャナ６０９から出射した２次元走査光とされた測定光は、視度補正系６１０、レンズ系６１１を介して、被検眼６１２の眼底６１３に照射される。視度補正系６１０は、眼底６１３の被観察点が光学系の焦点となるように調整を行う。すなわち、視度補正系６１０は、測定光を眼底６１３上に略点像として照射するように調整を行う。視度補正系６１０は、くの字形状の一対の視度補正ミラーを備え、この一対の視度補正ミラーの間隔を調整することで、上記の調整を行う。視度補正系６０１として、図４〜図８に示す光路長変更装置の一または複数を用いることもできる。
【００６３】
視度には、個人差や個体差があるが、この視度に違いがあっても、視度補正系６１０の機能により、眼底６１３上に測定光が略点像として集光して照射されるように調整が行われる。また、視度補正系６１０により、被検眼６１２の屈折異常への対応、観察対象となる特定の層への集光位置の微調整が行われる。
【００６４】
眼底６１３で反射された測定光は、検出光として測定光と逆の経路をたどり、ファイバーカプラー６０２に戻ってくる。この検出光は、リファレンスユニット６３０から得られる参照光とファイバーカプラー６０２において合成される。この合成により、干渉光が得られ、この干渉光は、干渉光検出部６１６に送られる。干渉光検出部６１６は、回折格子により構成される分光器６１７、分光器６１７で分光された干渉光を検出するラインセンサ６１８を備えている。
【００６５】
時間的に低コヒーレンスである光を用いた場合、参照光路と測定光の光路長がほぼ等しいときに干渉信号が得られる。眼底のような多層構造の対象を測定する場合、異なる層からの反射光あるいは後方散乱した光は、光源波長幅内の異なる波長で干渉する。この干渉光の波長スペクトルをスペクトル分光器で取得し、スペクトル強度分布に対してフーリエ変換することで、実空間での深さに関する情報を得ることができる。
【００６６】
この例では、分光器６１７で分光された干渉光がラインセンサ６１８で検出される。ラインセンサ６１８の出力は、デジタル信号処理を行う電子回路を備えた干渉光分析部６１９に送られる。干渉光分析部６１９では、上述した原理に従ってデジタル信号処理により、眼底６１３の深さ方向の情報（網膜の層構造の情報）を得る。この情報は、層画像作成部６２０に送られ、層画像作成部６２０は、デジタル処理により網膜の層構造に係る断層画像を作成する。この網膜の層構造に係る断層画像は、図示しないディスプレイに送られ、そこに表示される。
【００６７】
（優位性）
機械的な機構を用いずに光路または光路長の変更が可能となる。また、光の偏向制御では、回転ミラーのような回転軸が存在しないので、簡素な構造で２次元スキャナを実現できる。ＯＣＴ装置のような眼科装置に適用した場合、精密な可動機構部分を減らすことができ、振動への耐性や可動部の経時変化に対する耐性の点で有利となる。
【符号の説明】
【００６８】
１００…液体光学装置、１２１…ガラス基板、１２２…ガラス基板、１２３…駆動電極層、１２４…高誘電フィルム、１２５…撥水膜、１２６…リング部材、１２７…高誘電膜、１２８…内部空間、１２９…透明電極、１３０…封止材、１３１…親水膜、１３２…有極性液、１３３…無極性液、１３５…有極性液１３２と無極性液１３３との間の界面、２００…光路長変更装置、２１０，２２０…液体光学装置、２３１〜２３４…反射ミラー、２４１…入射光、２４２…出射光、３００…光路長変更装置、３１０，３２０…液体光学装置、３３１〜３３４…反射ミラー、４００…偏向装置、５００…偏向装置。
【図１】
2018050747.tif 000003
【図２】
2018050747.tif 000004
【図３】
2018050747.tif 000005
【図４】
2018050747.tif 000006
【図５】
2018050747.tif 000007
【図６】
2018050747.tif 000008
【図７】
2018050747.tif 000009
【図８】
2018050747.tif 000010
【図９】
2018050747.tif 000011
【図１０】
2018050747.tif 000012
【図１１】
2018050747.tif 000013
【図１２】
2018050747.tif 000014
【図１３】
2018050747.tif 000015